(57)【要約】【課題】サーミスタを外部から直接触れることができず、かつサーミスタを工具無しでは取り外すことのできない空気調和機の室外機を提供する。【解決手段】室外機のケーシングに設けられた空気吸込み口を覆うように取り付けられた吸込みグリル５と、吸込みグリル５の上部に固定され、外気の温度を検知するサーミスタ３７が収納されたサーミスタ収納部３とを備え、サーミスタ収納部３には、サーミスタ３７を保持する前面開口の保持部３０と、一端が保持部３０の下部に回動可能に取り付けられ、他端に取っ手部３５を有し、保持部３０の前面開口を覆ったときにその取っ手部３５が吸込みグリル５の上部に位置するカバー部３３とが設けられ、ケーシングの上部に天板が取り付けられたときに、カバー部３３の取っ手部３５が天板の内側に入り込むようにした。【選択図】図２
2011137598.tif 000002
【特許請求の範囲】
【請求項１】
箱状のケーシングと、
前記ケーシングに設けられた空気吸込み口を覆うように取り付けられた吸込みグリルと、
前記吸込みグリルの上部に固定され、外気の温度を検知するサーミスタが収納されたサーミスタ収納部とを備え、
前記サーミスタ収納部には、
サーミスタを保持する前面開口の保持部と、
一端が前記保持部の下部に回動可能に取り付けられ、他端に取っ手部を有し、前記保持部の前面開口を覆ったときにその取っ手部が前記吸込みグリルの上部に位置するカバー部とが設けられ、
前記ケーシングの上部に天板が取り付けられたときに、前記カバー部の取っ手部が天板の内側に入り込むようにしたことを特徴とする空気調和機の室外機。
【請求項２】
前記保持部に前面開口側に向けて突出する複数の爪部を設け、
前記カバー部に前記複数の爪部に対向して配置された複数の穴を設け、
前記カバー部を閉じたときに前記複数の爪部が各穴を通って係止することを特徴とする請求項１記載の空気調和機の室外機。
【請求項３】
前記カバー部に幅方向に延びて形成された複数の長穴を設けたことを特徴とする請求項１又は２記載の空気調和機の室外機。
【請求項４】
前記サーミスタ収納部を前記ケーシング内に設けられた回路基板の近傍に配置されていることを特徴とする請求項１乃至３の何れかに記載の空気調和機の室外機。
【請求項５】
前記吸込みグリルの上部に、前記ケーシング内に設置された空気熱交換器の吸込みグリル設置面の反対側の面に引掛ける係止部を設けたことを特徴とする請求項１乃至４の何れかに記載の空気調和機の室外機。
【請求項６】
前記吸込みグリルの上部に、前記ケーシング内に設置された空気熱交換器と前記ケーシングの天板との間の空間を埋める補強部材を設けたことを特徴とする請求項１乃至５の何れかに記載の空気調和機の室外機。
【発明の詳細な説明】
【技術分野】
【０００１】
本発明は、吸込みグリルにサーミスタ収納部が固定された空気調和機の室外機に関するものである。
【背景技術】
【０００２】
従来の空気調和機の室外機は、箱状のケーシングに設けられた空気吸込み口を覆うように取り付けられた吸込みグリルと、外気の温度を検知するサーミスタを保持するサーミスタ保持具とを備えている。サーミスタ保持具は、吸込みグリルに形成された脆弱部を介して吸込みグリルに一体に形成され、脆弱部で吸込みグリルから切り離し可能に設けられている（例えば、特許文献１参照）。
【先行技術文献】
【特許文献】
【０００３】
【特許文献１】特開２００９−１３９０１７号公報（第６頁、図１）
【発明の概要】
【発明が解決しようとする課題】
【０００４】
前述した従来の技術は、必要に応じてサーミスタ保持具のみを単独で使用できるようになっているが、サーミスタ保持具に外力を加え、強引にサーミスタ保持具からサーミスタを取り外すことができ、安全性上好ましいことではなかった。
【０００５】
本発明は、前記のような課題を解決するためになされたもので、サーミスタを外部から直接触れることができず、かつサーミスタを工具無しでは取り外すことのできない空気調和機の室外機を得ることを目的とする。
【課題を解決するための手段】
【０００６】
本発明に係る空気調和機の室外機は、箱状のケーシングと、ケーシングに設けられた空気吸込み口を覆うように取り付けられた吸込みグリルと、吸込みグリルの上部に固定され、外気の温度を検知するサーミスタが収納されたサーミスタ収納部とを備え、サーミスタ収納部には、サーミスタを保持する前面開口の保持部と、一端が保持部の下部に回動可能に取り付けられ、他端に取っ手部を有し、保持部の前面開口を覆ったときにその取っ手部が吸込みグリルの上部に位置するカバー部とが設けられ、ケーシングの上部に天板が取り付けられたときに、カバー部の取っ手部が天板の内側に入り込むようにしたものである。
【発明の効果】
【０００７】
本発明においては、保持部の前面開口をカバー部で覆ったときにカバー部の取っ手部が吸込みグリルの上部に位置し、ケーシングの上部に天板を固定したときにはカバー部の取っ手部が天板の内側に入り込むようにしたので、工具無しで、サーミスタ収納部のカバー部を開けることができず、サーミスタ収納部の保持部からサーミスタを取り外すことができない。
【図面の簡単な説明】
【０００８】
【図１】実施の形態に係る空気調和機の室外機を後ろから見て示す背面図である。
【図２】図１に示す室外機の吸込みグリルに固定されたサーミスタ収納部を示す斜視図である。
【図３】実施の形態における室外機の空気熱交換器と吸込みグリルの位置関係を示す斜視図である。
【発明を実施するための形態】
【０００９】
図１は実施の形態に係る空気調和機の室外機を後ろから見て示す背面図、図２は図１に示す室外機の吸込みグリルに固定されたサーミスタ収納部を示す斜視図、図３は実施の形態における室外機の空気熱交換器と吸込みグリルの位置関係を示す斜視図である。なお、図３の（ｂ）は空気熱交換器の吸込みグリル設置面の反対側を下方から見て示す斜視図でる。
実施の形態に係る空気調和機の室外機は、上部に天板１が取り付けられ、図示せぬ圧縮機及び室外ファン、空気熱交換器４、室外機の運転を制御する回路基板６等を収納するケーシング２と、ケーシング２に設けられた空気吸込み口を覆うように取り付けられた格子状の吸込みグリル５と、吸込みグリル５の回路基板６側の上部角部に固定され、外気の温度を検知するサーミスタ３７が収納されたサーミスタ収納部３とから構成されている。
【００１０】
サーミスタ収納部３は、図２（ａ）に示すように、サーミスタ３７を保持する前面開口の保持部３０と、一端が保持部３０の下部に連結部３６を介して回動可能に取り付けられ、他端に取っ手部３５を有し、保持部３０の前面開口を覆ったときにその取っ手部３５が吸込みグリル５の上部５ａに位置するカバー部３３とで構成されている。そのカバー部３３は、ケーシング２の上部に天板１が取り付けられたときに、吸込みグリル５の上部５ａ及び取っ手部３５が天板１の内側に入り込み、カバー部３３が開けられないようになっている。
【００１１】
前述の保持部３０には、保持部３０の底部のほぼ中央に互いに対向して設けられた一対の爪部３１と、保持部３０の両側板より内側に互いに対向して設けられ、前面開口より外側に向けて突出する一対の爪部３２とが設けられている。サーミスタ３７は、前述した一対の爪部３１により保持されている。サーミスタ３７のリード線３８は、図２（ｂ）（ｃ）に示すように保持部３０の上部から引き出され、吸込みグリル５の上部５ａに設けられた切り欠き穴５ｂを通ってケーシング２内に入り前述の回路基板６と接続されている。
【００１２】
カバー部３３には、保持部３０の一対の爪部３２にそれぞれ対向する四辺形状の穴３４と、長手方向に配置され幅方向に延びて形成された複数の長穴３９と、前述した取っ手部３５とが設けられている。この取っ手部３５によりカバー部３３を矢印方向（図２（ａ）参照）に回転（１８０度）させたときに、保持部３０の一対の爪部３２がカバー部３３の四辺形状の穴３４を通って係止し、カバー部３３を保持部３０に固定する。複数の長穴３９は外気を取り入れるための穴であり、その長穴３の短辺側の寸法ａは３ｍｍより小さい。これにより、直径３ｍｍの試験指で直接にサーミスタ３７に触れることができないので、サーミスタ３７に絶縁体を施す必要がなくなり、サーミスタ３７に要するコストや部品点数を抑制することができる。
【００１３】
取っ手部３５には、保持部３０の上部から引き出されるリード線３８を保護する凹部３５ａが形成されている。その凹部３５ａから先端までの形状は、吸込みグリル５の上部５ａの形状と同じである。前述したように保持部３０の開口面をカバー部３３で閉じたとき、図２（ｃ）に示すように、吸込みグリル５の切り欠き穴５ｂ内に位置し、吸込みグリル５の上部５ａの一部となる。
【００１４】
吸込みグリル５の上部５ａのほぼ中央には、図３（ａ）（ｂ）に示すように、ケーシング２内に設置された空気熱交換器４の吸込みグリル設置面の反対側の面に引掛ける係止部５０が設けられている。また、吸込みグリル５の上部５ａの両側には、空気熱交換器４とケーシング２の天板１との間の空間を埋める補強部材５１が設けられている。この補強部材５１は、吸込みグリル５の幅方向に等間隔に設けられた複数の補強リブ５１ａにより構成されている。
【００１５】
以上のように実施の形態においては、保持部３０の開口面をカバー部３３で閉じたときに、カバー部３３の取っ手部３５が吸込みグリル５の切り欠き穴５ｂ内に位置し、ケーシング２の上部を天板１で覆って取り付けたときにカバー部３３の取っ手部３５が天板１の内側に入り込むようにしている。これにより、ケーシング２の天板１を外さない限り、工具無しでサーミスタ収納部３のカバー部３３を開けることができず、サーミスタ収納部３の保持部３０からサーミスタ３７を取り外すことができなくなり、安全性が向上する。
【００１６】
また、保持部３０の開口面をカバー部３３で閉じたときに、保持部３０の一対の爪部３２がカバー部３３の四辺形状の穴３４を通って係止するので、ケーシング２の上部に天板１を固定する際の作業が容易になる。
【００１７】
また、サーミスタ収納部３を吸込みグリル５の回路基板６側の上部角部に設置しているので、サーミスタ３７のリード線３８を短くでき、サーミスタ３７のコスト削減が可能となる。
【００１８】
また、カバー部３３には、幅方向に延びて形成された複数の長穴３９が設けられているので、サーミスタ３７による外気の温度をより正確に検知することが可能となる。
【００１９】
また、吸込みグリルを室外機に取付ける際、係止部５０で空気熱交換器４の吸込みグリル設置面の反対側の面に引掛けるようにしているので、取り付け作業が容易になり作業工程を短縮できる。
【００２０】
また、吸込みグリル５の上部の両側には、空気熱交換器４とケーシング２の天板１との間の空間を埋める補強部材５１が設けられているので、倉庫に室外機を縦に積んで保管したとしても、室外機の荷重によるケーシング２の天板１の変形を防止できる。
【符号の説明】
【００２１】
１  室外機の天板、２  室外機のケーシング、３  サーミスタ収納部、４  空気熱交換器、５  吸込みグリル、６  回路基板、３０  保持部、３１  爪部、３２  爪部、
３３  カバー部、３４  穴、３５  取っ手部、３６  連結部、３７  サーミスタ、
３８  リード線、３９  長穴、５０  係止部、５１  補強部材、５１ａ  補強リブ。
【図１】
2011137598.tif 000003
【図２】
2011137598.tif 000004
【図３】
2011137598.tif 000005